(57)【要約】【課題】専用のケーブルやソフトウェアを用いることなく、かつ、携帯電話端末の形状、サイズに影響を与えることなく電話帳データの交換を可能とするサービスを提供する。【解決手段】電話帳データ保管サービス提供システムを、顧客からの電話帳データの保管登録要求に基づき携帯電話端末から電話帳データを読み出す電話帳データ読み出し手段２７１と、読み出された電話帳データを所定のファイル転送プロトコルに従い無線通信網を介して送信する電話帳データ送信手段２７２と、電話帳データを受信して顧客毎に対応付けて保管し、顧客からの配信要求に応じて都度その電話帳データを配信する電話帳データ交換手段２４で構成する。【選択図】　　　図２
2004146871.tif 000002
【特許請求の範囲】
【請求項１】
電話帳データを持つ携帯電話端末が無線通信網を介して接続される電話帳データ保管サービス提供システムであって、
顧客が携帯電話端末を操作することにより生成される電話帳データの保管登録要求に基づき前記携帯電話端末から電話帳データを読み出す電話帳データ読み出し手段と、
前記読み出された電話帳データを所定のファイル転送プロトコルに従い前記無線通信網を介して送信する電話帳データ送信手段と、
前記電話帳データを受信して顧客毎に対応付けて保管し、顧客が携帯電話端末を操作することにより生成される配信要求に応じて都度その電話帳データを配信する電話帳データ交換手段、
を備えたことを特徴とする電話帳データ保管サービス提供システム。
【請求項２】
前記電話帳データ送信手段と電話帳データ送信手段は、顧客が携帯電話端末を操作することにより生成される電話帳データ保管サービス要求に基づき当該携帯電話端末にダウンロード提供されることを特徴とする請求項１に記載の電話帳データ保管サービス提供システム。
【請求項３】
前記電話帳データ保管サービス要求に続いて入力される顧客の個人情報を本人認証用として格納する個人情報データベース、
を備えることを特徴とする請求項１または２に記載の電話帳データ保管サービス提供システム。
【請求項４】
顧客が携帯電話端末を操作することにより生成される電話帳データ保管要求に基づき本人認証を行ない、認証が得られた場合にのみ前記電話帳データを受信して前記電話帳データベースに顧客毎に対応付けて保管することを特徴とする請求項１または３に記載の電話帳データ保管サービス提供システム。
【請求項５】
顧客が携帯電話端末を操作することにより生成される電話帳データ更新要求に基づき本人認証を行ない、認証が得られた場合にのみ前記電話帳データベースに保管されている当該顧客の電話帳データを更新する電話帳データ更新手段、
を備えることを特徴とする請求項１または３に記載の電話帳データ保管サービス提供システム。
【請求項６】
携帯電話端末の登録変更の後、顧客が新規携帯電話端末を操作することにより生成される電話帳データ配信要求に基づき本人認証を行ない、認証が得られた場合にのみ前記電話帳データベースに保管されている当該顧客の電話帳データを配信する電話帳データ配信手段、
を備えることを特徴とする請求項１または３に記載の電話帳データ保管サービス提供システム。
【請求項７】
電話帳データを持つ携帯電話端末が無線通信網を介して接続される電話帳データ保管サービス提供システムのための電話帳データの保管・配信方法であって、
顧客が携帯電話端末を操作することにより生成される電話帳データの保管登録要求に基づき前記携帯電話端末から電話帳データを読み出し、
前記読み出された電話帳データを所定のファイル転送プロトコルに従い前記無線通信網を介して送信し、
前記電話帳データを受信して顧客毎に対応付けて保管し、顧客が携帯電話端末を操作することにより生成される配信要求に応じて都度その電話帳データを配信すること、
を特徴とする電話帳データ保管サービス提供システムにおける電話帳データの配信方法。
【請求項８】
電話帳データを持つ携帯電話端末が無線通信網を介して接続される電話帳データ保管サービス提供システムに用いられる電話帳データの保管・配信プログラムであって、
顧客が携帯電話端末を操作することにより生成される電話帳データの保管登録要求に基づき前記携帯電話端末から電話帳データを読み出すステップと、
前記読み出された電話帳データを所定のファイル転送プロトコルに従い前記無線通信網を介して送信するステップと、
前記電話帳データを受信して顧客毎に対応付けて保管し、顧客が携帯電話端末を操作することにより生成される配信要求に応じて都度その電話帳データを配信するステップと、
をコンピュータに実行させる電話帳データの保管・配信プログラム。
【発明の詳細な説明】
【０００１】
【発明の属する技術分野】
本発明は、携帯電話端末利用者が持つメモリダイヤル、メールアドレス等、電話帳データの保管、配信サービスを行う、電話帳データ保管サービス提供システムおよびその保管・配信方法、ならびにそのプログラムに関する。
【０００２】
【従来の技術】
技術の進歩により携帯電話端末の性能が向上し、また、廉価で提供されることからデザイン等の好みにより買い替える顧客が増えてきた。このとき、異なるキャリアを使用する場合は、以前に登録されたメモリダイヤル、メールアドレス（以下、電話帳データという）をそのまま使用することはできず、買い替えた携帯電話に同じ内容を再登録する必要があった。
唯一、パーソナルコンピュータと携帯電話をＵＳＢ（Ｕｎｉｖｅｒｓａｌ　Ｓｅｒｉａｌ　Ｂｕｓ）ケーブルで接続し、パーソナルコンピュータにインストールした市販の「携帯メモリ編集プログラム」を使用することにより登録された電話帳データをＣＳＶ形式で取り込み、他の携帯電話との間で電話帳データの交換を行うことができる（特許文献１参照）。
【０００３】
【特許文献１】
特開２００２−１６４９７０号
【０００４】
【発明が解決しようとする課題】
上記したように従来、携帯電話端末のアドレス帳を保管するためには、パーソナルコンピュータを用い、携帯電話端末との接続ケーブルと（ＵＳＢケーブル）と専用のソフトウェアを用意する必要があり、必然的にコストが高くなる。
また、近年、携帯電話にメモリカードやＳＤカード等着脱自在の外部記憶媒体を搭載する動きがあるが、小型、軽量、薄型化を目指す携帯電話端末市場にあっては好ましくない。
【０００５】
本発明は上記事情に鑑みてなされたものであり、専用のケーブルやソフトウェアを用いることなく、かつ、携帯電話端末の形状、サイズに影響を与えることなく電話帳データの交換を可能とした、電話帳データ保管サービス提供システム、およびその保管・配信方法、ならびにそのプログラムを提供することを目的とする。
【０００６】
【課題を解決するための手段】
請求項１に記載の発明は、電話帳データを持つ携帯電話端末が無線通信網を介して接続される電話帳データ保管サービス提供システムであって、顧客が携帯電話端末を操作することにより生成される電話帳データの保管登録要求に基づき前記携帯電話端末から電話帳データを読み出す電話帳データ読み出し手段と、前記読み出された電話帳データを所定のファイル転送プロトコルに従い前記無線通信網を介して送信する電話帳データ送信手段と、前記電話帳データを受信して顧客毎に対応付けて保管し、顧客が携帯電話端末を操作することにより生成される配信要求に応じて都度その電話帳データを配信する電話帳データ交換手段、を備えたことを特徴とする。
【０００７】
請求項１に記載の発明によれば、電話帳データ交換手段が、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話のサイズに影響を与えることなく電話帳データの交換を可能とした、電話帳データ保管サービス提供システムを提供することができる。
【０００８】
請求項２に記載の発明は、請求項１に記載の電話帳データ保管サービス提供システムにおいて、前記電話帳データ送信手段と電話帳データ送信手段は、顧客が携帯電話端末を操作することにより生成される電話帳データ保管サービス要求に基づき当該携帯電話端末にダウンロード提供されることを特徴とする。
【０００９】
請求項２に記載の発明によれば、顧客が携帯電話端末を操作することにより生成される電話帳データ保管サービス要求に基づき、携帯電話端末は、例えば、スクリプトで記述された電話帳データ送信手段と電話帳データ送信手段を受信し、電話帳データを電話帳データ保管サービス提供システムにアップロードし、保管、配信サービスを享受できる。
【００１０】
請求項３に記載の発明は、請求項１または２に記載の電話帳データ保管サービス提供システムにおいて、前記電話帳データ保管サービス要求に続いて入力される個人情報を本人認証用として格納する個人情報データベース、を備えることを特徴とする。
【００１１】
請求項３に記載の発明によれば、プログラム取得要求に先立ち個人認証を行うことにより、保管・配信サービスのセキュリティを高めることができる。
【００１２】
請求項４に記載の発明は、請求項１または３に記載の電話帳データ保管サービス提供システムにおいて、顧客が携帯電話端末を操作することにより生成される電話帳データ保管要求に基づき本人認証を行ない、認証が得られた場合にのみ前記電話帳データを受信して前記電話帳データベースに顧客毎に対応付けて保管することを特徴とする。
【００１３】
請求項４に記載の発明によれば、本人認証が得られた場合にのみ電話帳データを受信して電話帳データベースへ顧客毎に対応付けて保管することで、顧客間の情報隔離が可能となる。
【００１４】
請求項５に記載の発明は、請求項１または３に記載の電話帳データ保管サービス提供システムにおいて、顧客が携帯電話端末を操作することにより生成される電話帳データ更新要求に基づき本人認証を行ない、認証が得られた場合にのみ前記電話帳データベースに保管されている当該顧客の電話帳データを更新する電話帳データ更新手段、を備えることを特徴とする。
【００１５】
請求項５に記載の発明によれば、電話帳データ更新手段が、認証が得られた場合にのみ電話帳データベースに保管されている当該顧客の電話帳データの更新が許可されることにより、一旦保管登録済みの電話帳データの更新が可能となる。
【００１６】
請求項６に記載の発明は、請求項１または３に記載の電話帳データ保管サービス提供システムにおいて、携帯電話端末の登録変更の後、顧客が新規携帯電話端末を操作することにより生成される電話帳データ配信要求に基づき本人認証を行ない、認証が得られた場合にのみ前記電話帳データベースに保管されている当該顧客の電話帳データを配信する電話帳データ配信手段、を備えることを特徴とする。
【００１７】
請求項６に記載の発明によれば、電話帳データ配信手段が、本人認証が得られた場合にのみ前記電話帳データ保管手段に保管されている当該顧客の電話帳データの配信を許可することにより、保管登録済みの電話帳データの配信が可能となる。
【００１８】
請求項７に記載の発明は、電話帳データを持つ携帯電話端末が無線通信網を介して接続される電話帳データ保管サービス提供システムのための電話帳データの保管・配信方法であって、顧客が携帯電話端末を操作することにより生成される電話帳データの保管登録要求に基づき前記携帯電話端末から電話帳データを読み出し、前記読み出された電話帳データを所定のファイル転送プロトコルに従い前記無線通信網を介して送信し、前記電話帳データを受信して顧客毎に対応付けて保管し、顧客が携帯電話端末を操作することにより生成される配信要求に応じて都度その電話帳データを配信すること、を特徴とする。
【００１９】
請求項７に記載の発明によれば、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話端末のサイズに影響を与えることなく電話帳データの交換を可能とすることができる。
【００２０】
請求項８に記載の発明は、電話帳データを持つ携帯電話端末が無線通信網を介して接続される電話帳データ保管サービス提供システムに用いられる電話帳データの保管・配信プログラムであって、顧客が携帯電話端末を操作することにより生成される電話帳データの保管登録要求に基づき前記携帯電話端末から電話帳データを読み出すステップと、前記読み出された電話帳データを所定のファイル転送プロトコルに従い前記無線通信網を介して送信するステップと、前記電話帳データを受信して顧客毎に対応付けて保管し、顧客が携帯電話端末を操作することにより生成される配信要求に応じて都度その電話帳データを配信するステップと、をコンピュータに実行させることを特徴とする。
【００２１】
請求項８に記載の発明によれば、上記した電話帳データの保管・配信プログラムをコンピュータに実行させることにより、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話端末のサイズに影響を与えることなく電話帳データの交換を可能とすることができる。
【００２２】
【発明の実施の形態】
図１は、本発明の電話帳データ保管サービス提供システムが接続される通信インフラストラクチャの構成を説明するために引用した図である。
１は、顧客Ａ、Ｂ、Ｃのそれぞれが持つブラウザ内蔵の携帯電話端末である。２は、携帯電話端末１が持つ電話帳データの保管、配信サービスを行なうデータ保管サービス提供サーバ（以下、単にサーバ２という）であり、携帯電話端末１とは無線によるＩＰ（Ｉｎｔｅｒｎｅｔ　Ｐｒｏｔｏｃｏｌ）網３を介して接続される。
【００２３】
図１を用いて概略動作を説明すれば以下のようになる。まず、顧客Ａは携帯電話機１からサーバ２にアクセスし、顧客Ａの携帯電話端末１における電話帳データ保管サービス申込みを行なう。次に、顧客Ａは携帯電話機１からサーバ２にアクセスし、携帯電話端末１の電話帳データの保管要求を発行する。このことにより、サーバ２は顧客Ａの保管要求に基づき顧客Ａの携帯電話機１の電話帳データを受信して電話帳データベースに格納する。
一方、顧客Ａは、携帯電話端末１の変更登録に伴い、新規携帯電話端末１からサーバ２にアクセスし、サーバ２に保管されている顧客Ａの電話帳データの配信要求を発行し、サーバ２から携帯電話端末１で受信する。
【００２４】
ところで、サーバ２に電話帳データの保管、配信サービスを要求する顧客は、あらかじめ、住所、氏名、携帯電話番号等の個人情報を登録する必要がある（顧客登録）。従って、顧客Ａは、サービスの享受に先立ち、自身の携帯電話端末１からサーバ２にアクセスして個人情報の登録を行なう。
サーバ２は、ここで、登録された顧客Ａに対してのみ電話帳データの保管、配信サービスを行なうために、顧客Ａの携帯電話端末１に後述するスクリプトをダウンロードし、当該スクリプトによって電話帳データを読み出し、その電話帳データをサーバ２にアップロードする。
【００２５】
図２は、図１に示す本発明の電話帳データ保管サービス提供システムが実装されるサーバの内部構成を機能展開して示したブロック図である。
図２に示されるように、サーバ２は、通信インタフェース部２１、個人情報登録部２２、スクリプト送信部２３、電話帳データ交換部２４、個人情報ＤＢ２６、スクリプトＤＢ２７、電話帳データＤＢ２８で構成される。
【００２６】
通信インタフェース部２１は、ＩＰ網３を介して接続されるブラウザ内蔵の携帯電話端末１とのインタフェースを司るものであり、ここでは、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）が実装される。
個人情報登録部２２は、顧客の携帯電話端末１を介し、電話帳データの保管、配信サービスを希望する顧客によって入力される個人情報を取り込んで個人情報ＤＢ２６に格納する機能を持つ。
スクリプト送信部２３は、個人情報を登録した顧客の携帯電話端末１に対してその電話帳データを読み出しアップロードするスクリプトを送信する機能を持つ。そのためのスクリプトは、スクリプトＤＢ２７に格納されている。スクリプトＤＢ２７には、顧客が携帯電話端末１を操作することにより生成される電話帳データの保管登録要求に基づき携帯電話端末１から電話帳データを読み出す電話帳データ読み出し機能と、読み出された電話帳データを所定のファイル転送プロトコルに従いＩＰ網３を介してアップロード送信する機能を実現するプログラム実行手段（携帯電話端末１にダウンロード提供されるスクリプトから成る、それぞれ電話帳データ読み出し手段２７１、電話帳データ送信手段２７２）が格納される。
【００２７】
電話帳データ交換部２４は、電話帳データを受信して顧客毎に対応付けて保管し、顧客が携帯電話端末１を操作することにより生成される保管、配信、更新のための各要求に応じて都度その電話帳データの交換サービスを行なう機能を持ち、本人認証部２４１と、電話帳データ保管登録部２４２と、電話帳データ配信部２４３と、電話帳データ更新部２４４で構成される。
本人認証部２４１は、顧客が携帯電話端末１を操作することにより生成される電話帳データの保管登録、配信、更新の各要求に基づき個人情報ＤＢ２６を参照することによって本人認証を行ない、認証が得られた場合にのみ、電話帳データの保管登録、配信、更新サービスを許可する機能を持つ。
【００２８】
電話帳データ保管登録部２４２は、電話帳データの保管登録要求を受信し、本人認証部２４１による認証が得られた場合にのみ、その電話帳データを受信して電話帳データＤＢ２８に顧客毎に対応付けて格納する機能を持つ。
電話帳データ配信部２４３は、顧客が携帯電話端末１を操作することにより生成される電話帳データ配信要求に基づき本人認証部２４１による認証が得られた場合にのみ電話帳データＤＢ２８に格納されている当該顧客の電話帳データを配信する機能を持つ。また、電話帳データ更新部２４４は、顧客が携帯電話端末１を操作することにより生成される電話帳データ更新要求に基づき、本人認証部２４１による認証が得られた場合にのみ、電話帳データＤＢ２８に保管されている当該顧客の電話帳データを更新する機能を持つ。
【００２９】
図３、図４は、本発明の電話帳データ保管サービス提供システムの動作を説明するために引用したフローチャートであり、サーバ２、携帯電話端末１のそれぞれを示す。
図３は、具体的には本発明の電話帳データ保管サービス提供プログラムの処理手順を示す。図３において、サーバ２は、顧客が携帯電話端末１を操作することにより生成される電話帳データの保管登録サービス要求を受信することで本発明による電話帳保管、配信サービスのための処理が起動される（Ｓ３１）。そして続いて入力される顧客の住所、氏名、携帯電話番号等の個人情報を取り込み、個人情報登録部２２を介して個人情報ＤＢ２６に格納する（Ｓ３２）。
これを受けてスクリプト送信部２３は、スクリプトＤＢ２７から電話帳データを読み出しアップロードするスクリプトを読み出し、通信インタフェース部２１を介して要求のあった顧客の携帯電話端末１へ送信する（Ｓ３３）。
【００３０】
顧客の携帯電話端末１では、図４にフローチャートで示されるように、スクリプトを受信すると（Ｓ４１）、顧客による保管登録、配信、更新のための各要求が発せられる毎にそのスクリプトが実行され、まず、保管登録要求が発せられた場合は、電話帳データが格納されている携帯電話端末１内蔵のメモリから電話帳データが読み出され（Ｓ４２）、読み出された電話帳データのアップロードを行なう（Ｓ４３）。前者は、スクリプトが持つ電話帳データ読み出し手段２７１、後者は電話帳データ送信手段２７２により実行される。
ここでアップロードされた電話帳データは、顧客の携帯電話番号等のＩＤ毎、電話帳データＤＢ２８に格納される。
【００３１】
上記した準備作業の後、図３のフローチャートに示されるように、携帯電話端末１から保管登録要求が発行されると（Ｓ３４）、上記した電話帳データＤＢ２８への電話帳データの保管登録サービスが実行され（Ｓ３７）、配信要求が発行されると（Ｓ３５）、配信サービスが実行される（Ｓ３８）。また、更新要求が発行されると（Ｓ３６）、更新サービスが実行される（Ｓ３９）。
これら、保管登録サービス、配信サービス、更新サービスの詳細は図５以降を使用して後述する。
【００３２】
図５〜図１６は、本発明における電話帳データ保管サービス提供システムによる電話帳データの保管登録、配信、更新サービスのそれぞれを説明するために引用した図であり、図５〜図８は携帯電話端末１とサーバ２間の動作シーケンス図、図９〜図１６は、そのときに携帯電話端末１で使用される画面構成の一例を示す。
以下、図５〜図１６を参照しながら本発明の電話帳データ保管サービス提供システムによる各種サービスの詳細について説明する。
【００３３】
図５は、個人情報登録処理について示した動作シーケンス図である。顧客は、サーバ２に電話帳データ保管要求を発行する場合、顧客の住所、氏名、携帯電話番号等の個人情報を登録する必要があることは上記したとおりである。従って、顧客Ａは、まず、携帯電話端末１を操作してサーバ２にアクセスする（Ｓ５１）。サーバ２は、アクセスを受信することにより、メインメニューを送信する（Ｓ５２）。メインメニューのメニュー構成は図９に例示されている。
ここで、メインメニューは、「データ保管要求」、「データ配信要求」、「新規登録」、「登録内容変更」の４つのメニューで構成される。顧客Ａは、新規登録ボタン１４を選択して、サーバ２に対して顧客登録画面の要求を発行したとする（Ｓ５３）。これを受信したサーバー２は、図１０に一例が示される顧客登録画面を送信する（Ｓ５４）。顧客Ａは、自身の個人情報を図１０に示される顧客登録画面に従って入力し、送信する（Ｓ５５）。個人情報を受信したサーバ２は、その顧客情報を個人情報ＤＢ２６（ハードディスク）の顧客リストに記録する（Ｓ５０１）。顧客リストの一例は、図１１に示されている。最後にサーバ２は、顧客の個人情報登録が完了したことを要求のあった顧客Ａの携帯電話端末１に対して通知のために送信する（Ｓ５６）。このようにして、顧客登録が行われる。
【００３４】
次に、個人情報登録を済ませた顧客Ａが、所有する携帯電話機１の電話帳データをサーバ２に保管する場合の処理について、図６に示す動作シーケンス図を参照しながらを説明する。
まず、顧客Ａは、所有する携帯電話端末１からサーバ２にアクセスすることによりメインメニューを要求する（Ｓ６１）。こけれを受信したサーバ２は、図９に示されるメインメニューを送信する（Ｓ６２）。
【００３５】
顧客Ａが図９に示すメインメニュー画面中、データ保管依頼ボタン１０を選択送信すると（Ｓ６３）、サーバ２は、図１２に示されるデータ保管要求画面を送信する（Ｓ６４）。顧客Ａは、このデータ保管要求画面に従って、ＩＤ、パスワード、携帯電話番号を入力後、保管依頼ボタン２０を押すと、顧客Ａの携帯電話端末１に保存されている電話帳データがサーバ２に送信される（Ｓ６５）。
サーバ２はこの電話帳データを受信し（Ｓ６０１）、既に登録されているサーバ２の個人情報ＤＢ２６の顧客リスト内容と照合し、本人確認チェック後（Ｓ６０２）、その電話帳データを電話帳データＤＢ２８に登録・更新し（Ｓ６０３）、顧客リストにも記録する（Ｓ６０４）。最後にサーバ４は、顧客Ａのデータ登録・更新が完了したことを顧客Ａの携帯電話端末１に通知のために送信して終了する（Ｓ６６）。
【００３６】
次に、図７に示す動作シーケンス図を参照し、顧客登録を済ませた顧客Ａが、サーバ２に保管している携帯電話端末１の電話帳データを携帯電話端末１に配信を要求する場合の処理について説明する。
まず、顧客Ａは、携帯電話端末１からサーバ２にアクセスして、メインメニューを要求する（Ｓ７１）。これを受けたサーバ２は、図９に示すメインメニュー画面を送信する（Ｓ７２）。このメインメニュー画面を使用して顧客Ａがデータ配信依頼ボタン１２を選択すると（Ｓ７３）、サーバ２は、登録変更画面を送信する（Ｓ７４）。登録変更画面の一例は、図１３に示されている。ここで顧客Ａは、この登録変更画面を使用してＩＤ、パスワード、携帯電話番号を入力後、登録変更ボタン３０を押すと図１４に示される登録内容変更画面に遷移する。
顧客Ａは、この登録内容変更画面を用いて登録内容を変更する項目の情報を入力してサーバ２へ送信する（Ｓ７５）。
【００３７】
サーバ２はこれら情報を受信し（Ｓ７０１）、既に登録されているサーバ２の個人情報ＤＢ２６の顧客リストと照合して本人確認をした後（Ｓ７０２）、顧客リストの更新を行う（Ｓ７０３）。サーバ２は更に顧客Ａの携帯電話端末１に登録変更が完了したことを通知し、メインメニューを送信する（Ｓ７６、Ｓ７７）。
顧客Ａは、図９に示されるメインメニューのデータ配信依頼ボタン１２を選択し、サーバ２にデータ配信要求画面の送信を要求する（Ｓ７８）。これに対し、サーバ２は、図１５に示されるデータ配信要求画面を送信する（Ｓ７９）。顧客Ａは、受信したデータ配信要求画面を用いてＩＤ、パスワード、携帯電話番号を入力後、データ配信依頼ボタン３０を押すと、電話帳データＤＢ２８に保管されている顧客Ａの電話帳データを要求のあった携帯電話端末１へ送信する（Ｓ６３）。
ここで、サーバ２はデータ配信要求を受信し（Ｓ７３）、個人情報ＤＢ２６を参照して顧客リスト内容と照合のうえ、本人確認チェック後（Ｓ７０４）、電話帳データＤＢ２８から顧客Ａの配信データを抽出する（Ｓ７０５）。最後にサーバ２は、顧客のデータ抽出が完了したことを顧客Ａに送信し、要求されたデータを配信する（Ｓ８１）と共に、サーバ２の個人情報ＤＢ２６の顧客リストに記録する（Ｓ７０６）。
【００３８】
最後に、サーバ２で電話帳データを保管している顧客に対して保管データ更新の案内を行い、顧客が保管データの更新を行う場合の動作について図８に示す動作シーケンス図を参照しながら説明する。
サーバ２による更新案内は、顧客登録処理時に顧客によって案内のサイクル（週次、月次）が選択され、入力された情報に基づき、サーバ２から顧客の携帯電話端末１に案内されることとする。
サーバ２は、まず、個人情報ＤＢ２６を参照し、保管している顧客リストの中から保管データ更新を行う対象顧客を抽出する（Ｓ８０１）。ここでは、その対象顧客がＢであった場合を例示して説明する。
【００３９】
サーバ２では、顧客Ｂの携帯電話端末１に対してデータ保管更新の案内メニューを送信する（Ｓ８５）。データ保管更新案内メニュー画面の一例は図１６に示されている。顧客Ｂは、このデータ保管更新案内メニュー画面を用い、ＩＤ、パスワード、携帯電話番号を入力後、データ保管更新依頼ボタン５０を押したとする。このことにより、顧客Ｂの携帯電話端末１に保存されている電話帳データがサーバ２へ送信される（Ｓ８６）。これも上記したスクリプトによって実現される。電話帳データの読み出し、アップロードは上記と同様であるため説明を省略する。
サーバ２は、電話帳データを受信して既に登録済みの電話帳（電話帳データＤＢ２８）と照合し（Ｓ８０２）、また、個人情報ＤＢ２６を参照して本人認証のうえ（Ｓ８０３）、その電話帳データを電話帳データＤＢ２８に登録・更新し、また、顧客リストにも記録する（Ｓ８０５）。最後にサーバ２は、顧客Ｂの電話帳データの更新が行われたことを顧客Ｂの携帯電話端末１に通知して終了する（Ｓ８７）。
【００４０】
以上説明のように本発明は、携帯電話端末から電話帳データを受信して顧客毎に対応付けて保管し、顧客が携帯電話端末を操作することにより生成される配信要求に応じて都度その電話帳データを配信することにより、専用のケーブルやソフトウェアを用いることなく、かつ、携帯電話端末の形状、サイズに影響を与えることなく電話帳データの交換を可能としたものである。
なお、上記した本発明実施形態によれば、スクリプトを送信することにより、携帯電話端末に登録済みの電話帳データをアップロードするものとして説明したが、メールを利用し、メール添付しても同様の効果が得られる。また、図２に示す通信インタフェース部２１、個人情報登録部２２、スクリプト送信部２３、電話帳データ交換部２４、本人認証部２４１、電話帳データ保管登録部２４２、電話帳データ配信部２４３、電話帳データ読み出し部２７１、電話帳データ送信部２７２のそれぞれで実行される手順をコンピュータ読み取り可能な記録媒体に記録し、この記録媒体に記録されたプログラムをコンピュータシステムに読み込ませ、実行することにより本発明の電話帳データ保管サービス提供システムが実現されるものとする。ここでいうコンピュータシステムとは、ＯＳや周辺機器等のハードウェアを含むものである。
【００４１】
【発明の効果】
請求項１に記載の発明によれば、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話のサイズに影響を与えることなく電話帳データの交換を可能とした、電話帳データ保管サービス提供システムを提供することができる。
【００４２】
請求項２に記載の発明によれば、顧客が携帯電話端末を操作することにより生成される電話帳データ保管サービス要求に基づき、携帯電話端末は、例えば、スクリプトにより電話帳データを読み出し、電話帳データ保管サービス提供システムにアップロードすることで保管することができ、機種変更時等、必要に応じて配信サービスを享受できる。
【００４３】
請求項３に記載の発明によれば、プログラム取得要求に先立ち個人認証を行うことにより、保管・配信サービスのセキュリティを高めることができる。
【００４４】
請求項４に記載の発明によれば、本人認証が得られた場合にのみ電話帳データを受信して電話帳データベースへ顧客毎に対応付けて保管することで、顧客間の情報隔離が可能となる。
【００４５】
請求項５に記載の発明によれば、電話帳データ更新手段が、認証が得られた場合にのみ電話帳データベースに保管されている当該顧客の電話帳データの更新が許可されることにより、一旦保管登録済みの電話帳データの更新が可能となる。
【００４６】
請求項６に記載の発明によれば、本人認証が得られた場合にのみ電話帳データ保管手段に保管されている当該顧客の電話帳データの配信を許可することにより、保管登録済みの電話帳データの配信が可能となる。
【００４７】
請求項７に記載の発明によれば、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話端末のサイズに影響を与えることなく電話帳データの交換を可能とすることができる。
【００４８】
請求項８に記載の発明によれば、上記した電話帳データの保管・配信プログラムをコンピュータに実行させることにより、携帯電話端末から電話帳データを受信して顧客毎に対応付けて保管し、顧客が携帯電話端末を操作することにより生成される配信要求に応じて都度その電話帳データを配信することにより、専用のソフトウェアを用いることなく、かつ、携帯電話端末のサイズに影響を与えることなく電話帳データの交換を可能とすることができる。
【図面の簡単な説明】
【図１】本発明の電話帳データ保管サービス提供システムが接続される通信インフラストラクチャの構成を説明するために引用した図である。
【図２】図１に示す本発明の電話帳データ保管サービス提供システムが実装されるサーバの内部構成を機能展開して示したブロック図である。
【図３】本発明実施形態の動作を説明するために引用したフローチャートである。
【図４】本発明実施形態の動作を説明するために引用したフローチャートである。
【図５】本発明実施形態の動作を説明するために引用したシーケンス図である。
【図６】本発明実施形態の動作を説明するために引用したシーケンス図である。
【図７】本発明実施形態の動作を説明するために引用したシーケンス図である。
【図８】本発明実施形態の動作を説明するために引用したシーケンス図である。
【図９】本発明で使用される携帯電話端末の画面構成の一例を示す図である。
【図１０】本発明で使用される携帯電話端末の画面構成の一例を示す図である。
【図１１】本発明で使用される携帯電話端末の画面構成の一例を示す図である。
【図１２】本発明で使用される携帯電話端末の画面構成の一例を示す図である。
【図１３】本発明で使用される携帯電話端末の画面構成の一例を示す図である。
【図１４】本発明で使用される携帯電話端末の画面構成の一例を示す図である。
【図１５】本発明で使用される携帯電話端末の画面構成の一例を示す図である。
【図１６】本発明で使用される携帯電話端末の画面構成の一例を示す図である。
【符号の説明】
１　　　携帯電話端末
２　　　データ保管サービス提供サーバ（サーバ）
３　　　ＩＰ網
２１　　通信インタフェース部
２２　　個人情報登録部
２３　　スクリプト送信部
２４　　電話帳データ交換部
２６　　個人情報ＤＢ
２７　　スクリプトＤＢ
２８　　電話帳データＤＢ
２４１　本人認証部
２４２　電話帳データ保管登録部
２４３　電話帳データ更新部
２７１　電話帳データ読み出し部
２７２　電話帳データ送信部
【図１】
2004146871.tif 000003
【図２】
2004146871.tif 000004
【図３】
2004146871.tif 000005
【図４】
2004146871.tif 000006
【図５】
2004146871.tif 000007
【図６】
2004146871.tif 000008
【図７】
2004146871.tif 000009
【図８】
2004146871.tif 000010
【図９】
2004146871.tif 000011
【図１０】
2004146871.tif 000012
【図１１】
2004146871.tif 000013
【図１２】
2004146871.tif 000014
【図１３】
2004146871.tif 000015
【図１４】
2004146871.tif 000016
【図１５】
2004146871.tif 000017
【図１６】
2004146871.tif 000018